(57)【特許請求の範囲】
【請求項１】
加熱調理容器を収容可能な加熱庫と、加熱庫内の収容物を加熱する加熱手段と、加熱庫内に着脱可能な状態で設置され、加熱調理容器を支持する容器支持体とを備えたグリル装置であって、
容器支持体は、加熱調理容器を容器本体の外周部にて支持する構成とし、
容器本体の外周部に係合し、加熱調理容器を支持する支持部が、容器支持体における上下対称の位置に設けられた、グリル装置。
【請求項２】
加熱調理容器を収容可能な加熱庫と、加熱庫内の収容物を加熱する加熱手段と、加熱庫内に着脱可能な状態で設置され、加熱調理容器を支持する容器支持体とを備えたグリル装置であって、
容器支持体は、加熱調理容器を容器本体の外周部にて支持する構成とし、
加熱庫の前面開口部を前方から被閉するグリル扉と、容器支持体の設置部として加熱庫内に設けられ、グリル扉が開かれるのに連動して加熱庫内から前面開口部の前方へ引き出される受け部材とを備え、
容器支持体は、前面開口部の前方へ引き出された受け部材に対して上下逆向きで設置されたときに、前面開口部の内周縁に設けられた張り出し部に対して前方から対向して配置され、グリル扉が閉じられるのを阻止する規制部を備えた、グリル装置。
【請求項３】
請求項１または２に記載のグリル装置において、
容器支持体は、加熱調理容器を容器本体の外周部に設けられた持ち手部にて支持する構成とした、グリル装置。
【請求項４】
グリル装置の加熱庫内に着脱可能な状態で設置され、加熱調理容器を支持する容器支持体であって、
加熱調理容器の容器本体の外周部に設けられた被係合部に係合し、加熱調理容器を支持する支持部が、容器支持体における上下対称の位置に設けられた、容器支持体。
【発明の詳細な説明】
【技術分野】
【０００１】
本発明は、加熱調理容器を用いて食材の加熱調理を行うことが可能なグリル装置、及びそのグリル装置で使用される容器支持体に関する。
【背景技術】
【０００２】
蒸し料理や煮込み料理など、加熱調理容器を用いた調理を行うことが可能なグリル装置が提案されているが、従来、この種のグリル装置において、調理の方法や目的に応じて異なる深さの加熱調理容器を使用できるよう、加熱調理容器を支持する容器支持体の下部に、加熱調理容器の底面を下方から支持するための底面支持枠部が加熱調理容器の深さに合わせて複数設けられたものが知られている（例えば、特許文献１参照）。
【先行技術文献】
【特許文献】
【０００３】
【特許文献１】特開２０１４−２１４９６８号公報
【発明の概要】
【発明が解決しようとする課題】
【０００４】
ところで、この種のグリル装置において、焼き網やグリルプレートを用いて食材の加熱調理を行う場合、上記容器支持体は、加熱調理容器と共に加熱庫内から取り外されるため、別途保管しておく必要がある。
【０００５】
しかしながら、上記従来のグリル装置では、容器支持体の下部に高さの異なる複数の底面支持枠部が設けられているため、その分、容器支持体の高さ方向（上下方向）の寸法が大きく、容器支持体を加熱庫内から取り外して保管しておくのに比較的大きな収納スペースを要するし、円滑な着脱を阻害する場合もある。また、容器支持体の全体構造も複雑であり、清掃性も悪かった。
【０００６】
しかも、上記従来のグリル装置では、容器支持体の下部に設けられた複数の底面支持枠部が、容器本体の底面側における熱気の円滑な流れを阻害し、調理性能に影響を与える虞もあった。
【０００７】
本発明は、上記課題を鑑みてなされたものであり、その目的は、大きさの異なる加熱調理容器を用いて食材の加熱調理を行うことが可能なグリル装置において、使い勝手およびメンテナンス性の向上を図ると共に、調理性能の安定性の向上を図ることにある。
【課題を解決するための手段】
【０００８】
本発明は、加熱調理容器を収容可能な加熱庫と、加熱庫内の収容物を加熱する加熱手段と、加熱庫内に着脱可能な状態で設置され、加熱調理容器を支持する容器支持体とを備えたグリル装置であって、容器支持体は、加熱調理容器を容器本体の外周部にて支持する構成とし、容器本体の外周部に係合し、加熱調理容器を支持する支持部が、容器支持体における上下対称の位置に設けられたものである。
【０００９】
このものでは、既述従来のグリル装置のように、容器支持体の下部に、加熱調理容器の底面を下方から支持するための底面支持枠部を設ける必要がないから、容器支持体の高さ方向（上下方向）の寸法を小さくすることができる。従って、容器支持体を加熱庫内から取り外して保管するのに、大きな収納スペースを必要としないし、容器支持体の着脱も容易である。また、容器支持体の全体構造を簡素化することも可能であるから、清掃も容易である。さらに、加熱調理容器を容器本体の外周部にて支持する構成としたことで、多様な深さの加熱調理容器を使用できるから、汎用性も高い。
【００１０】
しかも、このものでは、加熱調理容器を容器本体の外周部にて支持するように構成したことで、容器本体の底面側における熱気の円滑な流れが阻害されないから、容器本体の底面全体を均一に加熱することができる。また、深さの異なる加熱調理容器が用いられても、加熱庫上壁から加熱調理容器までの離間距離を略一定にできるから、特に加熱庫の上壁に加熱手段が設けられたグリル装置において、加熱調理容器の上方からの加熱度合を略一定に維持することも可能である。
さらに、このものでは、容器支持体における上下対称の位置に、加熱調理容器を支持する支持部が設けられていることで、上下の向きを意識しないで容器支持体を加熱庫内に取り付けることができるから、加熱調理容器の設置に手間がかからない。
【００１１】
上記グリル装置において、容器支持体は、加熱調理容器を容器本体の外周部に設けられた持ち手部にて支持する構成としたものとするのが好ましい。このものでは、容器支持体に対して加熱調理容器をより容易且つ確実に支持させることが可能であるから、加熱調理容器の設置に手間がかからない。
【００１３】
また、本発明は、加熱調理容器を収容可能な加熱庫と、加熱庫内の収容物を加熱する加熱手段と、加熱庫内に着脱可能な状態で設置され、加熱調理容器を支持する容器支持体とを備えたグリル装置であって、容器支持体は、加熱調理容器を容器本体の外周部にて支持する構成とし、加熱庫の前面開口部を前方から被閉するグリル扉と、容器支持体の設置部として加熱庫内に設けられ、グリル扉が開かれるのに連動して加熱庫内から前面開口部の前方へ引き出される受け部材とを備え、容器支持体は、前面開口部の前方へ引き出された受け部材に対して上下逆向きで設置されたときに、前面開口部の内周縁に設けられた張り出し部に対して前方から対向して配置され、グリル扉が閉じられるのを阻止する規制部を備えたものである。
【００１４】
このものでは、容器支持体が上下逆向きの姿勢で受け部材に設置されると、グリル扉を閉じる際に、規制部が前面開口部内周の張り出し部に当接し、グリル扉が閉じられるのを阻止するから、加熱調理容器が誤った設置状態で使用されるのを防止できる。
【００１５】
また、本発明は、グリル装置の加熱庫内に着脱可能な状態で設置され、加熱調理容器を支持する容器支持体であって、加熱調理容器の容器本体の外周部に設けられた被係合部に係合し、加熱調理容器を支持する支持部が、容器支持体における上下対称の位置に設けられたものである。
【００１６】
このものでは、加熱調理容器を容器本体の外周部に設けられた被係合部にて支持することができるから、既述従来の容器支持体のように、容器支持体の下部に、加熱調理容器の底面を下方から支持するための底面支持枠部を設ける必要がない。よって、その分、高さ方向（上下方向）の寸法を小さくすることができ、加熱庫内から取り外して保管するのに、大きな収納スペースを必要としないし、着脱も容易である。また、容器支持体の全体構造を簡素化することも可能であるから、清掃も容易である。さらに、加熱調理容器を容器本体の外周部にて支持する構成としたことで、多様な深さの加熱調理容器を使用できるから、汎用性も高い。
【００１７】
しかも、このものでは、加熱調理容器を容器本体の外周部にて支持するように構成されているため、容器本体の底面側における熱気の円滑な流れを阻害せず、加熱調理容器の容器本体の底面全体を均一に加熱することができる。また、深さの異なる加熱調理容器を支持したときに、加熱庫上壁から加熱調理容器までの離間距離を略一定にできるから、特に加熱庫の上壁に加熱手段が設けられたグリル装置で使用される場合において、加熱調理容器の上方からの加熱度合を略一定に維持することも可能である。
さらに、このものでは、容器支持体における上下対称の位置に、加熱調理容器を支持する支持部が設けられていることで、上下の向きを意識しないで容器支持体を加熱庫内に取り付けることができるから、加熱調理容器の設置に手間がかからない。
【発明の効果】
【００１８】
以上のように、本発明によれば、容器支持体の収納性が高く、且つ、着脱も容易であり、多様な深さの加熱調理容器を使用できるといった汎用性の高さも備えているから、使い勝手が向上する。また、容器支持体の清掃も容易であるから、メンテナンス性も向上する。しかも、本発明によれば、加熱調理容器を適切に加熱することができるから、調理性能の安定性も向上する。
【図面の簡単な説明】
【００１９】
【図１】図１は、本発明の実施の形態に係るグリル装置を備えたガスコンロの概略斜視図である。
【図２】図２は、本発明の実施の形態に係るグリル装置を備えたガスコンロの側面視概略縦断面図である。
【図３】図３は、本発明の実施の形態に係るグリル装置に用いられる受け枠、汁受け皿、および容器支持体を示す斜視図である。
【図４】図４は、本発明の実施の形態に係るグリル装置の正面視概略縦断面図である。
【図５】図５は、本発明の実施の形態に係るグリル装置に用いられる容器支持体、および加熱調理容器を示す斜視図である。
【図６】図６は、本発明の実施の形態に係るグリル装置に用いられる容器支持体の概略平面図である。
【図７】図７は、本発明の実施の形態に係るグリル装置に用いられる容器支持体の他の構成形態を示す斜視図である。
【図８】図８は、本発明の実施の形態に係るグリル装置に用いられる容器支持体の他の構成形態を示す平面図である。
【図９】図９は、図７および図８に示した容器支持体の第１の設置状態を示す図である。
【図１０】図１０は、図７および図８に示した容器支持体の第２の設置状態を示す図である。
【発明を実施するための形態】
【００２０】
次に、上記した本発明を実施するための形態について、添付図面を参照しながら詳述する。
【００２１】
図１に示すように、本発明の実施の形態に係るグリル装置２を備えたガスコンロ１は、天板１１の上面に単数或いは複数のコンロバーナ１２を有している。また、コンロ本体１０の前面１３には、コンロバーナ１２の点火や消火、火力調整を行うための複数のコンロ用スイッチ１６、および、後述するグリルバーナ２５，２６の点火や消火、火力調整を行うためのグリル用スイッチ１７が設けられている。
【００２２】
グリル装置２の加熱庫２０は、コンロ本体１０の前面１３から内部後方へ向かって延設されており、食材の出し入れ口となる加熱庫２０の前面開口部２００は、コンロ本体１０の前面１３に開設されている。また、コンロ本体１０の前面１３には、前方から前面開口部２００を被閉するグリル扉２１が設けられている。尚、本明細書では、コンロ本体１０を前面１３側から見たときの奥行き方向を前後方向、幅方向を左右方向、高さ方向を上下方向という。
【００２３】
グリル扉２１の後面下部の左右側辺寄りの位置には、それぞれコンロ本体１０の内部後方へ向かってガイド枠２１１が延設されている。ガイド枠２１１は、それぞれコンロ本体１０の内部にて前後に摺動可能な状態で支持されており、それら両前端にグリル扉２１が連結固定されている。従って、グリル扉２１は、コンロ本体１０の前面１３に対して前後にスライド開閉する。
【００２４】
図２に示すように、グリル扉２１の後面下部には、加熱庫２０の内部へ向かって突出する細幅板状の連結板２１２が設けられている。また、連結板２１２の上部には、汁受け皿３２や図示しない焼き網、容器支持枠（容器支持体）３３等を支持するための受け枠（受け部材）３１が連結支持されている。
【００２５】
受け枠３１は、前端が連結板２１２に連結され、後端が加熱庫２０の底壁２０４の上面に摺動可能な状態で支持されている。従って、受け枠３１は、グリル扉２１が開かれるのに連動して加熱庫２０の内部から前面開口部２００の前方へ引き出され、閉じられるのに連動して加熱庫２０の内部へ収容される。
【００２６】
図３に示すように、受け枠３１は、金属製の丸棒材で形成された略矩形環状の枠体の前後辺をそれぞれ上方に折り曲げて側面視略コ字状に形成した枠本体部３１０と、枠本体部３１０の左右側辺相互間の前後端部にそれぞれ横架される略平板状の下枠部３１１とを備えており、下枠部３１１の上面に汁受け皿３２が載置され、枠本体部３１０の前後辺に折曲形成された前受け部３１２および後受け部３１３の上部に容器支持枠３３や図示しない焼き網が取り付けられる。また、蒸し料理や煮込み料理など、加熱調理容器４を用いた調理を行う場合は、容器支持枠３３の上部に加熱調理容器４が載置される。従って、汁受け皿３２、容器支持枠３３、および加熱調理容器４は、グリル扉２１を開くことで受け枠３１と共に加熱庫２０の内部から前面開口部２００の前方へ引き出され、閉じることで受け枠３１と共に加熱庫２０内に収容される。
【００２７】
前受け部３１２および後受け部３１３は、左右側辺の端部から上方へ略垂直に延びる一対の第１縦延伸部３１ａと、第１縦延伸部３１ａの上端から中央側（他方の第１縦延伸部３１ａ側）へ斜め下向きに延びる一対の横延伸部３１ｂと、横延伸部３１ｂの内側端部から上方へ略垂直に延びる一対の第２縦延伸部３１ｃと、第２縦延伸部３１ｃの上端相互を繋ぐ略水平の中央延伸部３１ｄとからなり、容器支持枠３３や図示しない焼き網、グリルプレート等は、上記横延伸部３１ｂの上部に載置される。
【００２８】
図４に示すように、横延伸部３１ｂの外側端部（第１縦延伸部３１ａから横延伸部３１ｂに繋がるコーナー部）３１ｅは、加熱庫２０の左右の側壁２０３に設けられた下火バーナ２５の配置高さより上方に位置している。従って、横延伸部３１ｂの上部に載置された容器支持枠３３や図示しない焼き網、グリルプレートは、加熱庫２０内における下火バーナ２５よりも上方の空間にて支持される。
【００２９】
加熱庫２０には、加熱庫２０内に収容された食材や加熱調理容器４を加熱する加熱手段として複数のグリルバーナ（下火バーナおよび上火バーナ）２５，２６が設けられており、加熱調理容器４を用いて調理を行う際、容器支持枠３３に載置された加熱調理容器４は、これら各グリルバーナ２５，２６から放出されるガスの燃焼排ガスによって上下左右から加熱される。
【００３０】
加熱庫２０の左右の側壁２０３の内側には、加熱庫２０の中央側へ向かって膨出する前方視断面略台形状の整流板２７が設けられており、主に加熱調理容器４を側方および下方から加熱する下火バーナ２５は、整流板２７の内側に、側壁２０３に沿って前後に延設されている。一方、主に加熱調理容器４を上方から加熱する上火バーナ２６は、加熱庫２０の上壁２０５に沿って前後に延設されている。
【００３１】
下火バーナ２５は、ステンレス製の二つの樋状体を上下に重ね合わせて構成されたバーナであり、加熱庫２０中央側の側端面に沿って複数の炎孔２５０が形成されている。従って、点火された際には、加熱庫２０内の中央下方へ向けて燃焼ガスや輻射熱を放出させる。
【００３２】
上火バーナ２６は、下面部がセラミック製の板体で構成された表面燃焼式のセラミックバーナであり、上記板体の略全面に亘って複数の炎孔２６０が形成されている。従って、点火された際には、加熱庫２０内の中央下方へ向けて燃焼ガスや輻射熱を放出させる。
【００３３】
図２から図４に示すように、汁受け皿３２は、平面視略矩形の浅皿状に形成された皿本体部３２０と、皿本体部３２０の前後周縁の上端からそれぞれ外側へ延出する一対の前後平端部３２１と、皿本体部３２０の左右周縁の上端からそれぞれ上方外側へ逆Ｌ字状に延出する一対の左右平端部３２２とを備えており、汁受け皿３２を受け枠３１に載置する際には、皿本体部３２０が枠本体部３１０の中央（前後の下枠部３１１相互の間隙）に嵌め込まれ、且つ、前後平端部３２１が前後の下枠部３１１の上面に上方から当接支持される。これにより、汁受け皿３２は、加熱庫２０内の底部に位置決め状態で配設される。
【００３４】
図３から図６に示すように、容器支持枠３３は、金属製の丸棒材で平面視略矩形環状に形成された枠体であり、その前後辺を構成する横枠部３３１と、左右辺を構成する縦枠部３３２と、加熱調理容器４を載置する際の支持部となる支持突部５１とを備えている。
【００３５】
横枠部３３１は、縦枠部３３２の端部から中央側（他方の縦枠部３３２側）へ略水平に延びる一対の横延伸部３３ｂと、横延伸部３３ｂの内側端部から容器支持枠３３の中央側へ略水平に延びる一対の折曲部３３ｃと、折曲部３３ｃの内側端部（容器支持枠３３の中央側の端部）相互を繋ぐ略水平の中央延伸部３３ｄとからなり、上下対称且つ左右対称に形成されている。また、前後の横枠部３３１は、互いに同一形状をなしている。
【００３６】
容器支持枠３３は、横枠部３３１の左右の折曲部３３ｃ相互の間隙に、受け枠３１の左右の第２縦延伸部３１ｃと中央延伸部３１ｄとで構成された略コ字状部を嵌入させ、且つ、縦枠部３３２の前後の端部、即ち、縦枠部３３２と横延伸部３３ｂとを繋ぐコーナー部３３ｅの前後延出部に、受け枠３１の左右の横延伸部３１ｂの外側端部３１ｅを下方から係合当接させることで、受け枠３１に対して位置決め状態で支持されるように構成されている。
【００３７】
縦枠部３３２の左右相互間の距離は、加熱調理容器４の容器本体４０の幅寸法（左右の側面相互間の距離）より大きく設定されており、加熱調理容器４が容器支持枠３３に載置されたとき、縦枠部３３２は、容器本体４０の左右の側面に沿って配置される。
【００３８】
支持突部５１は、略垂直に凸の側面視略円弧状に形成されており、左右の縦枠部３３２における中央から前後方向へ等距離離れた位置で、且つ、加熱調理容器４の容器本体４０の外周部に設けられた持ち手部４３に対して下方から対向する位置に配設されている。また、支持突部５１は、縦枠部３３２の上部および下部の上下対称となる位置にそれぞれ配設されている。即ち、容器支持枠３３は、前後対称、左右対称、且つ上下対称に形成されている。
【００３９】
図２、図４および図５に示すように、上記グリル装置２に用いられる加熱調理容器４は、上方に開放する平面視略長方形状の平底型の容器本体４０と、容器本体４０の上部開口４００を上方から覆う平面視略長方形状の蓋体４１とからなり、使用する際には、容器本体４０の長辺側の側面４０３が加熱庫２０の側壁２０３に対向するよう、長手方向を前後方向とした縦置きの姿勢で容器支持枠３３に載置される。尚、本実施の形態に係るグリル装置２に用いられる加熱調理容器４は、鉄やアルミニウム合金等の金属材料で形成されるが、セラミック材料で形成されたものであってもよいし、容器本体４０および蓋体４１がそれぞれ異なる材料で形成されたものであってもよい。
【００４０】
容器本体４０の上部開口４００の外周縁、即ち、容器本体４０の外周上縁部には、全周に亘って外側へ凸のフランジ４２が形成されている。また、容器本体４０の長辺側の側面４０３には、フランジ４２の外側端から容器本体４０の外側へ向かって略水平に、フランジ４２の突出幅より広幅の持ち手部４３が延出形成されている。
【００４１】
持ち手部４３は、加熱調理容器４が容器支持枠３３に適切に載置された状態において、容器支持枠３３の左右の側縁（縦枠部３３２の外側面）より外側まで延出形成されており（図６参照）、容器支持枠３３の支持突部５１は、上記持ち手部４３の下面における前後端寄りの位置に当接するように構成されている。
【００４２】
また、図示しないが、持ち手部４３の下面は、支持突部５１の上端形状に合致する凹状に形成されており、支持突起３３は、上端部を持ち手部４３の下面に下方から係合当接させることで、加熱調理容器４を容器支持枠３３に対して常に一定の位置に支持する。このとき、持ち手部４３は、加熱庫２０内における整流板２７の上方の空間、即ち、下火バーナ２５よりも上方に配置される（図４参照）。
【００４３】
このように、上記グリル装置２によれば、容器支持枠３３の下部に、加熱調理容器４の底面を下方から支持するための枠体が設けられておらず、上下方向の寸法が比較的小さい略平面状に形成されているから、容器支持枠３３を加熱庫２０内から取り外して保管する際に、大きな収納スペースを必要としないし、着脱も容易である。よって、使い勝手が良い。また、容器支持枠３３全体が比較的簡素な構成であるから、清掃も容易である。よって、メンテナンス性も良い。
【００４４】
さらに、このものでは、加熱調理容器４を容器本体４０の外周上縁部で支持する構成としたことで、その支持位置から汁受け皿３２の上面部までの空間に収まる範囲内において、多様な深さの加熱調理容器４を使用できるから、汎用性も高い。よって、使い勝手が一層良好である。
【００４５】
しかも、加熱調理容器４を容器本体４０の外周上縁部で支持するように構成したことで、容器本体４０の底面側に、燃焼ガスの円滑な流れを阻害するものがないから、容器本体４０の底面全体を均一に加熱することができる。また、深さの異なる加熱調理容器４を用いても、加熱庫２０の上壁２０５から加熱調理容器４の蓋体４１の上面までの離間距離を略一定にできるから、上火バーナ２６による加熱調理容器４の上方からの加熱度合を略一定に維持することも可能である。従って、安定した調理性能も得られる。
【００４６】
また、このものでは、加熱調理容器４を容器支持枠３３に載置するにあたって、容器本体４０の外周上縁部から外側へ向けて延出形成され比較的広幅の持ち手部４３を、容器支持枠３３の支持突部５１に支持させるように構成されているから、容器支持枠３３に対して加熱調理容器４をより容易且つ確実に支持させることができる。よって、加熱調理容器４の設置に手間がかからず、使い勝手がより一層良好である。
【００４７】
また、このものでは、容器支持枠３３が前後対称且つ左右対称に形成されているから、前後左右の向きを意識しないで容器支持枠３３を受け枠３１に取り付けることもできる。しかも、容器支持枠３３における上下対称の位置にそれぞれ支持突部５１が設けられているから、上下の向きを意識しないで容器支持枠３３を受け枠３１に取り付けることもできる。よって、加熱調理容器４の設置に手間がかからず、使い勝手がより一層良好である。
【００４８】
さらに、このものでは、支持突部５１が容器支持枠３３における縦枠部３３２の中央から前後方向へ離れて並設されているから、支持突部５１が持ち手部４３を把持する手の邪魔にならず、容器支持枠３３に対する加熱調理容器４の着脱も容易である。よって、使い勝手がより一層良好である。
【００４９】
尚、上記実施の形態では、容器本体４０の外周に設けられた持ち手部４３に容器支持枠３３の支持突部５１を係合当接させることで、加熱調理容器４を容器支持枠３３に支持させるように構成されたものを説明したが、容器本体４０の外周上縁部のフランジ４２に対して下方から対向する位置に支持突部５１が配置され、上記フランジ４２にて加熱調理容器４が容器支持枠３３に支持されるように構成されたものとしてもよいし、容器本体４０の外周面に、持ち手部４３やフランジ４２とは異なる被係合部（段差、拡幅部等）を設け、この被係合部に対して下方から対向する位置に支持突部５１が配置され、上記被係合部にて加熱調理容器４が容器支持枠３３に支持されるように構成されたものとしてもよい。
【００５０】
また、上記実施の形態では、支持突部５１が容器支持枠３３における縦枠部３３２の中央から前後方向へ離れて並設されものを説明したが、持ち手部４３を把持する手の邪魔にならず、且つ、加熱調理容器４を安定して支持できれば、支持突部５１は、略垂直に凸の側面視略コ字状に形成され、且つ、容器支持枠３３の左右の縦枠部３３２に沿ってその中央から前後に延設されたものとしてもよい。
【００５１】
容器支持枠３３は、縦枠部３３２の上部にのみ支持突部５１が設けられたものとしてもよい。具体的には、図７に示すように、支持突部５１は、左右の縦枠部３３２の上部における中央から前後方向へ等距離離れた位置にそれぞれ配設され、容器支持枠３３は、支持突部５１の配設面を上向きとした姿勢で受け枠３１に取り付けられる。
【００５２】
このものでは、容器支持枠３３の上下方向の寸法をより小さく形成することができるから、より狭い収納スペースに保管することが可能である。よって、使い勝手が一層向上する。また、容器支持枠３３の全体構造をより簡素化することもできるから、清掃が一層容易である。よって、メンテナンス性も一層向上する。
【００５３】
さらに、上記容器支持枠３３において、受け枠３１に対して上下逆向きに設置されたときに、その状態で加熱庫２０内に収容されるのを阻止するための規制部として当て枠部５２が設けられたものとしてもよい。具体的には、図７および図８に示すように、当て枠部５２は、縦枠部３３２の上部から外側方へ向かって略水平に凸の平面視略コ字状に形成されており、左右の縦枠部３３２における前後端寄りの位置にそれぞれ配設されている。また、図９に示すように、加熱庫２０の前壁２０１には、前面開口部２００の左右の側縁部から中央側へ向かって張り出し、整流板２７の前端面を覆う略台形状の張り出し部２８が形成されており、加熱庫２０内から前面開口部２００の前方へ引き出された受け枠３１に対して容器支持枠３３が上下正しい向きで設置された場合、当て枠部５２は、張り出し部２８より上方、即ち、整流板２７の上方の空間高さに配置される。一方、図１０に示すように、容器支持枠３３が受け枠３１に対して上下逆向きで設置された場合、当て枠部５２は、張り出し部２８に対して前方から対向して配置される。
【００５４】
このものでは、容器支持枠３３が受け枠３１に対して上下逆向きに設置されると、グリル扉２１が閉じられる際に、容器支持枠３３は、当て枠部５２が張り出し部２８の前面に当接し、それ以上後方へ移動しない。即ち、グリル扉２１の閉じる側（後方）への移動が阻止される。これにより、加熱調理容器４が誤った設置状態で使用されるのを防止できる。
【００５５】
また、上記当て枠部５２は、縦枠部３３２の上部から外側方へ向かって斜め上向きに設けられたものとしてもよい。このものでは、容器支持枠３３が受け枠３１に対して上下逆向きに設置されると、当て枠部５２が縦枠部３３２から外側方へ向かって斜め下向きに延設された状態になるから、グリル扉２１が閉じられる際に、張り出し部２８の前面により確実に当接する。これにより、加熱調理容器４が誤った設置状態で使用されるのをより確実に防止できる。
【００５６】
本発明は、加熱庫２０の左右の側壁２０３にのみグリルバーナが配設され、上壁２０５にはグリルバーナを有しない構成のグリル装置にも適用できるし、加熱庫２０の上壁２０５にのみグリルバーナが配設され、左右の側壁２０３にはグリルバーナを有しない構成のグリル装置にも適用できる。また、本発明は、コンロバーナ１２を備えていない加熱調理器のグリル装置にも適用できるし、グリルバーナに代えて、電気ヒーターなど他の加熱手段を備えたグリル装置にも適用できる。
【符号の説明】
【００５７】
２      グリル装置
２０    加熱庫
２００  前面開口部
２１    グリル扉
２５，２６  グリルバーナ（加熱手段）
２８    張り出し部
３１    受け枠（受け部材）
３１２  前受け部
３１３  後受け部
３３    容器支持枠（容器支持体）
３３１  横枠部
３３２  縦枠部
３３ｂ  横延伸部
４      加熱調理容器
４０    容器本体
４３    持ち手部（被係合部）
５１    支持突部（支持部）
５２    当て枠部（規制部）
【図１】
0006649062.tif 000002
【図２】
0006649062.tif 000003
【図３】
0006649062.tif 000004
【図４】
0006649062.tif 000005
【図５】
0006649062.tif 000006
【図６】
0006649062.tif 000007
【図７】
0006649062.tif 000008
【図８】
0006649062.tif 000009
【図９】
0006649062.tif 000010
【図１０】
0006649062.tif 000011